(57)【要約】      （修正有）【課題】便座に臀部が直接触れるのは、自分の皮膚が間接的に他人の肌に触れる事であり、不潔感に陥ると共に、皮膚病等の病原菌が接触して感染する可能性が有るため、これらを解決する便器カバーと便座シートを提供する。【解決手段】便座の上に敷く為に便座の上部平面の投影図形状にほぼ相当し中央部に穴が有りプラスチック、布、紙等各種の材料にて作られたシート３を収納する平らな箱型の形状を有する蓋付きのポケット、及び便座の上部平面の投影形状にほぼ相当し中央部に穴が有り使用毎の長さのものが繋がり長尺に成っているロール状の巻紙を引張り出して必要分を取出口の上部に取付けられた特殊形状のカッターで切取って使用出来る様に巻紙を納められる横向きで円筒の形状を有する蓋付きのポケット６の二つを別々に外面側中央部と内面側後部に設置している便器カバー１。【選択図】図２
0003198355.tif 000002
【実用新案登録請求の範囲】
【請求項１】
便座の上に敷く便座シートを収納するポケット（一体型の固定式、又は脱着式のもので、ペーパーシート：ロールタイプ専用のポケットも含む。）を設けた便器カバー
【請求項２】
前項に示すポケットに格納する目的で造られた、各種シート及び、各種のペーパーシート類
【請求項３】
前項に示すペーパーシート類の内、ロールタイプに対しては、カット後に次の使用時、紙の端を摘まみ易くする様にカットする歯形及び形状を持っているペーパーカッター
（このペーパーカッターは、全てのロール式ペーパーカッターに共通するものであり、現存のトイレットペーパー等にも該当するものである。）
【考案の詳細な説明】
【技術分野】
【０００１】トイレを使用する時に、便座の上に置くシート（以下、便座シートと云い、便座のカバーの有る無しに拘わらず、便座の上に敷くものである。）を敷く事に依り、お尻：臀部が直接便座に触れない様にするものである。この便座シートは、布製、プラスチック製、又はペーパー製、及び、その他の材料で製作されており、この便座シートを敷く事に依り、臀部と便座の間に便座シートが位置する様になる。そして、便座シートを使用しない時には、便器カバーの内側又は外側に設けられた収納用の蓋付ポケットに入れておく。ポケットは仕切られて複数有り、その内の一つはペーパー製（リーフタイプ）の便座シート用である。その他のポケットには、使用者毎の専用の便座シートが入っている。
尚、ペーパー製の便座シートは、リーフ（一葉）タイプとロール（巻紙）タイプが有り、ロールタイプ用の場合は、ロール状の紙が納まる形状をしたポケットが別に設けられている。
（ペーパー製は、使用後に流す事になる。）
【背景技術】
【０００２】便座には、裸のままの状態で使用されているもの、又は布製等の便座のカバーが取付けられている場合も有るが、考案している便座シートは、何れの場合にも使用されるもので、便座の表面に便座シートを敷く事に依り、他人が使用した便座の面が共同使用の状態に成らない様にするものである。
処で、紙製のリーフタイプの便座シートは、既に市販され、設置されている場合も有るが、別置き（便器から離れた処にある。）になっているのと、ペーパーの体裁形状の関係で、いちいち拡げてセットしなくてはならず、使用時に煩わしさを感じるものである。
【考案の概要】
【０００３】便座を使用する時、便座に便座シート（布製、プラスチック製、ペーパー製、その他の材料製等）を敷く事に依り、臀部が便座に直接触れるのを防ぐもので、その便座シートは便器カバーの内側又は外側に設けられた収納用の蓋付ポケットに入れてある。
ポケット内は複数に仕切られており、その内の一つはペーパー製（リーフタイプ：定形の紙が１０数枚重ねられたもの）の便座シート用で、他のポケットは、使用者毎の各自専用の便座シート用である。尚、ペーパー製ロールタイプの場合は、別に設けられたロールタイプ専用のポケットに納められ、巻紙の状態から引張り出して、一回分毎の長さに切って使用するものである。
【考案が解決しようとする課題】
【０００４】従来の便座では、  ａ．便座が裸のままで使用される場合、  ｂ．便座にカバーを取付けられた状態で使用される場合、  ｃ．紙製の便座シートを敷いて使用される場合（便器から離れた場所に設置されている。）等であるが、これらには、次の様な欠点があった。
▲１▼便座使用時、便座に臀部が直接触れるのは、他の人が使用した同じものを使用する事となり、自分の皮膚が間接的ではあるが、他人に触れる様な気分にもなって、清潔面からも何度も何度も、又代わる代わる次々と他人が使用しているのは、不潔感に陥るものである。
▲２▼実際に共同使用をしていると、もし皮膚病や炎症を持っている人が使用した後は、各種の病原菌等が接触して感染する可能性も充分に有り。これは、衛生上も大問題である。
▲３▼現に市販されている紙製の便座シートに関しては、既に設置されている処も有るが、別置きになっているのと、ペーパーの形状等の問題で、取付ける時に容易性に欠けている。
この考案は、以上の欠点を解決する為になされたものである。
【課題を解決するための手段】
【０００５】便座使用時に、便器カバーのポケット内に納められている各自専用の便座シート、又は、ペーパーシート（リーフタイプ又は、ロールタイプ）を便座の上に敷いて使用する事に依り、解決するものである。
【考案の効果】
【０００６】▲１▼便座を使用する度に、自分専用の便座シート（又は、ペーパーシート）を使用する事に依り、臀部が他の人が使用した同じものに触れていると云う気分にはならず、従来からの共同使用の不快感が皆無に成る。更に、各自各種の好みの便座シートの為、使用時に独占的な雰囲気に囲まれて、気分的にも改善される事に成る。
▲２▼皮膚病等各種の病原菌を持っている人が使用した場合にも、接触的に感染する事は無くなり、衛生上最適である。
▲３▼紙製の便座シートに関しては、リーフタイプは便器カバーのポケットから直接取出してセット出来、又ロールタイプはロール専用のポケットから巻紙の端を引張って簡単に取出せるので、別置きに較べ非常に容易に使用出来る事に成る。
【考案を実施するための形態】
【０００７】＊＊収納ポケットは、便器カバーの内側、又は外側に設置されるもの、更に便器カバーと一体型の固定式及び脱着式のものが有りますが、此処では、最も一般的である収納ポケットが便器カバーの外側に設置（固定式）されている場合で説明します。
＃１便器カバーに＃２収納ポケットが設置されており、収納ポケットの＃７蓋を開くと複数のスペースに仕切られている。
そのポケットには、各自が好みで選んだ個人専用の＃３便座シートが入れてあり、ポケットの一つには＃４ペーパーシート（リーフタイプ）が入っている。尚、＃５ペーパーシート（ロールタイプ）の場合は、＃８蓋付きの＃６ロールタイプ専用ポケットに納められており、従来から使用されているトイレットペーパーの様に引出して、一回毎にギザギザのカッター（材質は、金属、プラスチック、その他）で切取り使用する様になっている。カッターの一端は図８の＊印に示している様に一端が異形（大きい出張りで上方へ４０度前後反った状態）になっていて、カットされた巻紙の端部がはみ出た様になり、大変掴み易くなっている。この巻紙には、一回分毎に相当する位置に便座に対応する位の穴が空いているか、又は、ミシン目で簡単に穴が空く様になっている。
使用者は個人専用の＃３便座シートを取出して便座の上に敷く、又訪問者等は、＃４ペーパーシート（リーフタイプ）を取出して使用するか、＃５ペーパーシート（ロールタイプ）を引出して使用する。ペーパーシートは、使用後は流されることになる。
処で、＃５ペーパーシート（ロールタイプ）以外のシートは、二つ折りにされて、収納ポケットに納められているが、各自の好みに依り＃９各種便座シートに示す通り、形状に関しては特別に決められているものではない。即ち、寸法、形状、材料、模様、色彩等は好みに合わせて選んだもの（製作されたもの）を便座シートとして使用出来るので、トイレ気分も大いに改善される事が期待出来る。
尚、収納ポケットの底部には、掃除の為の穴が空けてあるものとする。
脱着式収納ポケットの場合は、固定式と構造的にほぼ同様となり、取付け方法としては、ネジ止め、貼付け、差込み、嵌込み等の方法で、取付けるものとする。（便器カバーの外側、内側取付け共）
【図面の簡単な説明】
【図１】  本考案の斜視図を示す。
【図２】  本考案の斜視図（便器カバー開放時）を示す。
【図３】  本考案の正面図を示す。
【図４】  本考案の平面図を示す。
【図５】  本考案の側面図を示す。
【図６】  本考案の斜視図（収納ポケットの蓋開放時）を示す。
【図７】  本考案の斜視図（ロールペーパー使用時）を示す。
【図８】  本考案の斜視図（Ａ部詳細）を示す。
【図９】  本考案の平面図（各種便座シート：リーフタイプのペーパーシートを含む。）を示す。
【符号の説明】１  収納ポケット付便器カバー
２  収納ポケット
３  便座シート
４  ペーパーシート（リーフタイプ）
５  ペーパーシート（ロールタイプ）
６  ロールタイプ専用ポケット
７  蓋
８  蓋（ペーパーシート：ロールタイプのポケット用）
９  各種便座シート
【図１】
0003198355.tif 000003
【図２】
0003198355.tif 000004
【図３】
0003198355.tif 000005
【図４】
0003198355.tif 000006
【図５】
0003198355.tif 000007
【図６】
0003198355.tif 000008
【図７】
0003198355.tif 000009
【図８】
0003198355.tif 000010
【図９】
0003198355.tif 000011
【手続補正書】
【提出日】平成27年4月8日(2015.4.8)
【手続補正１】
【補正対象書類名】実用新案登録請求の範囲
【補正対象項目名】全文
【補正方法】変更
【補正の内容】
【実用新案登録請求の範囲】
【請求項１】
便座の上に敷く為に便座の上部平面の投影図形状にほぼ相当し中央部に穴が有りプラスチック、布、紙等各種の材料にて作られたシートを収納する平らな箱型の形状を有する蓋付きのポケット、及び便座の上部平面の投影形状にほぼ相当し中央部に穴が有り使用毎の長さのものが繋がり長尺に成っているロール状の巻紙を引張り出して必要分を取出口の上部に取付けられた特殊形状のカッターで切取って使用出来る様に巻紙を納められる横向きで円筒の形状を有する蓋付きのポケットの二つを別々に外面側中央部と内面側後部に設置している便器カバー
【請求項２】
便座の上に敷く為に便座の上部平面の投影図形状にほぼ相当し中央部に穴が有りプラスチック、布、紙等各種の材料にて作られたシートを便器カバーの外面側の中央部に設置された平らな箱型の形状を有する蓋付きのポケットに収納する目的を特徴とする請求項１記載の便座シート
【請求項３】
長尺でロール状の巻紙等を引張り出して必要分を切取り後にロール状で残った紙等の一端を次回の使用時に摘み易くする為数センチ分が長く突き出た形状で残る様に切るカッターの一端が突き出て適度の上向き勾配の付いた面に波状の歯が付いている特殊形状を特徴とする請求項１記載のカッター